(57)【要約】【課題】光ピックアップのトラバースの長さが短い光ディスク装置であっても載せ替え作業を必要としない光軸調整用治具を提供することを目的とする。【解決手段】光ピックアップ６をガイドする第１，第２のガイド４，５の上に第１の治具２１を載置し、第１の治具２１の上に第２の治具２２を被せて、検査用第１平面部２１ａの一部が前記検査用第２平面部２２ａから外に露出させたことを特徴とする。【選択図】図１
2007250138.tif 000002
【特許請求の範囲】
【請求項１】
回転テーブルにセットされる光ディスクの内周側と外周側との方向に配設された第１，第２のガイドに沿って光ピックアップをトラバースさせて前記光ディスクにアクセスする光ディスク装置の光軸調整に使用する光軸調整用治具であって、
検査用第１平面部がこの検査用第１平面部の裏面に形成された第１，第２，第３の支持脚によって三点支持される第１の治具と、
検査用第２平面部がこの検査用第２平面部の裏面に形成された第４，第５，第６の支持脚によって三点支持される第２の治具と
を有し、前記第４，第５，第６の支持脚の高さが第１，第２，第３の支持脚よりも高く、かつ前記検査用第１平面部と前記検査用第２平面部の形状を、前記第１の治具と前記第２の治具が互いに接触しない状態で前記第１の治具の上に前記第２の治具を被せた検査姿勢に配置した状態で、前記検査用第１平面部の一部が前記検査用第２平面部から外に露出するよう形成した
光ディスク装置の光軸調整用治具。
【請求項２】
回転テーブルにセットされる光ディスクの内周側と外周側との方向に配設された第１，第２のガイドに沿って光ピックアップをトラバースさせて前記光ディスクにアクセスする光ディスク装置の光軸調整に際し、
検査用第１平面部の裏面に第１，第２，第３の支持脚が形成された第１の治具は、前記検査用第１平面部の一端に位置する第１，第２の支持脚を第１のガイドに載置し、検査用第１平面部の他端に位置する第３の支持脚を第２のガイドに載置し、
検査用第２平面部の裏面に前記第１，第２，第３の支持脚よりも高い第４，第５，第６の支持脚が形成された第２の治具は、前記検査用第２平面部の一端に位置する第４，第５の支持脚を、第１のガイドに載置した第１の治具の第１，第２の支持脚よりも前記内周側の位置と第１の治具の支持脚よりも前記外周側の位置で第１のガイドに載置し、検査用第２平面部の他端に位置する第６の支持脚を第２のガイドに載置した第１の治具の第３の支持脚よりも前記外周側の位置で第２のガイドに載置して、前記検査用第１平面部の一部を前記検査用第２平面部から外に露出させ、
検査用第１平面部と検査用第２平面部の傾きを光学的に測定して第１，第２のガイドの少なくとも一方の傾きを調整する
光ディスク装置の光軸調整方法。
【請求項３】
回転テーブルにセットされる光ディスクの内周側と外周側との方向に配設された第１，第２のガイドに沿って光ピックアップをトラバースさせて前記光ディスクにアクセスする光ディスク装置の光軸調整に際し、
検査用第１平面部の裏面に第１，第２，第３の支持脚が形成された第１の治具は、前記検査用第１平面部の一端に位置する第１，第２の支持脚を第１のガイドに載置し、検査用第１平面部の他端に位置する第３の支持脚を第２のガイドに載置し、
検査用第２平面部の裏面に前記第１，第２，第３の支持脚よりも高い第４，第５，第６の支持脚が形成された第２の治具は、前記検査用第２平面部の一端に位置する第４，第５の支持脚を、第１のガイドに載置した第１の治具の第１，第２の支持脚よりも前記内周側の位置と第１の治具の支持脚よりも前記外周側の位置で第１のガイドに載置し、検査用第２平面部の他端に位置する第６の支持脚を第２のガイドに載置した第１の治具の第３の支持脚よりも前記外周側の位置で第２のガイドに載置して、前記検査用第１平面部の一部を前記検査用第２平面部から外に露出させ、
検査用ディスクの下面が第２の治具よりも高い位置を通過するように前記回転テーブルの上に平行ブロックを介して検査用ディスクをセットし、
検査用第１平面部と検査用第２平面部の傾きを前記検査用ディスクを通して光学的に測定して第１，第２のガイドの少なくとも一方の傾きを調整する
光ディスク装置の光軸調整方法。
【発明の詳細な説明】
【技術分野】
【０００１】
本発明は、光ディスク装置における光ピックアップを支持している第１，第２のガイドの傾きを調整する光軸調整の際に使用する光軸調整用治具に関するものである。
【背景技術】
【０００２】
ＤＶＤ(Digital Versatile Disc)やＣＤ（Compact Disc）などの光ディスクを記録媒体として使用する光ディスク装置は、図６に示すように構成されている。
光ディスクは回転テーブル１にセットされて、この回転テーブル１と図示されていない吸着プレートとで挟持されて回転駆動される。回転テーブル１の駆動モータ２（図８を参照）が取り付けられているフレーム３には、間隔を空けて第１，第２のガイド４，５が取り付けられている。光ディスクにアクセスする光ピックアップ６は、第１，第２のガイド４，５に沿って光ディスクの内周側と外周側との方向（径方向）にトラバースできるように取り付けられている。光ピックアップ６は第１のガイド４の近傍位置に配設されたトラバース方向駆動軸７に連結されて駆動されている。
【０００３】
このような１２ｃｍの光ディスクを扱う光ディスク装置では、第１，第２の治具８，９を用いて第１，第２のガイド４，５の傾きを調整することで光ピックアップ６の光軸調整が行われている。
【０００４】
具体的には、図７と図８に示すように内周側の第１，第２のガイド４，５の間に第１の治具８を載置し、外周側の第１，第２のガイド４，５の間に第２の治具９を載置して、回転テーブル１に検査用ディスクとしてのガラスディスク１０をセットし、回転テーブル１を回転駆動するとともに、平行光１１ａ，１２ａをガラスディスク１０を介して第１，第２の治具８，９に向けて照射する。この平行光の一部はガラスディスク１０にて反射し、もう一部は透過する。ガラスディスク１０にて反射した反射光１１ｂ，１２ｂと、ガラスディスク１０を透過して第１の治具８の鏡面に形成された検査用第１平面部８ａで反射した反射光１１ｃと、第２の治具９の鏡面に形成された検査用第２平面部９ａで反射した反射光１２ｃとをモニターしながら、第１，第２のガイド４，５の内周側と外周側の高さを調整している。この光学的な測定方法と第１，第２のガイド４，５の高さ調整については（特許文献１）等に詳しい。
【０００５】
図９（ａ）（ｂ）は光ピックアップ６のトラバースの長さが短い光ディスク装置の場合を示している。このような８ｃｍの光ディスクを専用で扱う光ディスク装置の場合には、第１，第２の治具８，９を同時にセットできないため、最初に図９（ａ）に示すように光ピックアップ６を外周側に移動させた状態で内周側の第１，第２のガイド４，５の間に第１の治具８を載置して前記光学的な測定と第１，第２のガイド４，５の高さ調整を行う内周調整を実施し、次に、第１の治具８を取り外してから、図９（ｂ）に示すように光ピックアップ６を内周側に移動させた状態で外周側の第１，第２のガイド４，５の間に第２の治具９を載置して前記光学的な測定と第１，第２のガイド４，５の高さ調整を行う外周調整を実施している。
【特許文献１】特開２００５−１０８３８６公報
【発明の開示】
【発明が解決しようとする課題】
【０００６】
光ピックアップ６のトラバースの長さが短い光ディスク装置であっても、図９（ａ）（ｂ）に示したようにして光軸調整することができるが、光ピックアップ６の移動と第１，第２の治具８，９の載せ替え作業が煩わしいのが現状である。また、内周調整もしくは外周調整のいずれかの調整の実施後他方の調整を実施すると、先に実施した調整位置が若干ずれてくる。このため、内周調整と外周調整は図４（ａ）（ｂ）に示す２つのコリメータのスクリーンを同時にモニターしながら行う事が効率的である。
【０００７】
本発明は、光ピックアップのトラバースの長さが短い光ディスク装置であっても載せ替え作業を必要とせず、内周調整と外周調整とを同時に行える光軸整用治具を提供することを目的とする。
【課題を解決するための手段】
【０００８】
本発明の請求項１記載の光ディスク装置の光軸調整用治具は、回転テーブルにセットされる光ディスクの内周側と外周側との方向に配設された第１，第２のガイドに沿って光ピックアップをトラバースさせて前記光ディスクにアクセスする光ディスク装置の光軸調整に使用する光軸調整用治具であって、検査用第１平面部がこの検査用第１平面部の裏面に形成された第１，第２，第３の支持脚によって三点支持される第１の治具と、検査用第２平面部がこの検査用第２平面部の裏面に形成された第４，第５，第６の支持脚によって三点支持される第２の治具とを有し、前記第４，第５，第６の支持脚の高さが第１，第２，第３の支持脚よりも高く、かつ前記検査用第１平面部と前記検査用第２平面部の形状を、前記第１の治具と前記第２の治具が互いに接触しない状態で前記第１の治具の上に前記第２の治具を被せた検査姿勢に配置した状態で、前記検査用第１平面部の一部が前記検査用第２平面部から外に露出するよう形成したことを特徴とする。
【０００９】
本発明の請求項２記載の光ディスク装置の光軸調整方法は、回転テーブルにセットされる光ディスクの内周側と外周側との方向に配設された第１，第２のガイドに沿って光ピックアップをトラバースさせて前記光ディスクにアクセスする光ディスク装置の光軸調整に際し、検査用第１平面部の裏面に第１，第２，第３の支持脚が形成された第１の治具は、前記検査用第１平面部の一端に位置する第１，第２の支持脚を第１のガイドに載置し、検査用第１平面部の他端に位置する第３の支持脚を第２のガイドに載置し、検査用第２平面部の裏面に前記第１，第２，第３の支持脚よりも高い第４，第５，第６の支持脚が形成された第２の治具は、前記検査用第２平面部の一端に位置する第４，第５の支持脚を、第１のガイドに載置した第１の治具の第１，第２の支持脚よりも前記内周側の位置と第１の治具の支持脚よりも前記外周側の位置で第１のガイドに載置し、検査用第２平面部の他端に位置する第６の支持脚を第２のガイドに載置した第１の治具の第３の支持脚よりも前記外周側の位置で第２のガイドに載置して、前記検査用第１平面部の一部を前記検査用第２平面部から外に露出させ、検査用第１平面部と検査用第２平面部の傾きを光学的に測定して第１，第２のガイドの少なくとも一方の傾きを調整することを特徴とする。
【００１０】
本発明の請求項３記載の光ディスク装置の光軸調整方法は、回転テーブルにセットされる光ディスクの内周側と外周側との方向に配設された第１，第２のガイドに沿って光ピックアップをトラバースさせて前記光ディスクにアクセスする光ディスク装置の光軸調整に際し、検査用第１平面部の裏面に第１，第２，第３の支持脚が形成された第１の治具は、前記検査用第１平面部の一端に位置する第１，第２の支持脚を第１のガイドに載置し、検査用第１平面部の他端に位置する第３の支持脚を第２のガイドに載置し、検査用第２平面部の裏面に前記第１，第２，第３の支持脚よりも高い第４，第５，第６の支持脚が形成された第２の治具は、前記検査用第２平面部の一端に位置する第４，第５の支持脚を、第１のガイドに載置した第１の治具の第１，第２の支持脚よりも前記内周側の位置と第１の治具の支持脚よりも前記外周側の位置で第１のガイドに載置し、検査用第２平面部の他端に位置する第６の支持脚を第２のガイドに載置した第１の治具の第３の支持脚よりも前記外周側の位置で第２のガイドに載置して、前記検査用第１平面部の一部を前記検査用第２平面部から外に露出させ、検査用ディスクの下面が第２の治具よりも高い位置を通過するように前記回転テーブルの上に平行ブロックを介して検査用ディスクをセットし、検査用第１平面部と検査用第２平面部の傾きを前記検査用ディスクを通して光学的に測定して第１，第２のガイドの少なくとも一方の傾きを調整することを特徴とする。
【発明の効果】
【００１１】
この光ディスク装置の光軸調整用治具と光軸調整方法によると、光ピックアップのトラバースの長さが短い光ディスク装置であっても、第１，第２の治具を同時にセットして、治具の載せ替えなしで光ピックアップの光軸調整を実施できる。
【発明を実施するための最良の形態】
【００１２】
以下、本発明の実施の形態を図１〜図５に基づいて説明する。
図１，図２，図３は、光ピックアップのトラバースの長さが短い８ｃｍ光ディスク専用の光ディスク装置と、光ピックアップの光軸調整に使用する第１，第２の治具２１，２２を示しており、第１の治具２１は検査用第１平面部２１ａがこの検査用第１平面部２１ａの裏面に形成された第１，第２，第３の支持脚Ｆ１，Ｆ２，Ｆ３によって三点支持されるよう構成されている。第２の治具２２は、検査用第２平面部２２ａがこの検査用第２平面部２２ａの裏面に形成された第４，第５，第６の支持脚Ｆ４，Ｆ５，Ｆ６によって三点支持されるように構成されている。
【００１３】
第１のガイド４と第２のガイド５との間に掛け渡された第１の治具２１は、平面形状が略三角形の検査用第１平面部２１ａと、検査用第１平面部２１ａの底辺に沿って形成された第１，第２の支持脚Ｆ１，Ｆ２と、検査用第１平面部２１ａの頂点に形成された第３の支持脚Ｆ３とからなっている。
【００１４】
第１のガイド４と第２のガイド５との間に掛け渡された第２の治具２２は、平面形状が略三角形の検査用第２平面部２２ａと、検査用第２平面部２２ａの底辺に沿って形成された第４，第５の支持脚Ｆ４，Ｆ５と、検査用第２平面部２２ａの頂点に形成された第６の支持脚Ｆ６とからなっている。第４，第５，第６の支持脚Ｆ４，Ｆ５，Ｆ６の高さは第１，第２，第３の支持脚Ｆ１，Ｆ２，Ｆ３よりも高く形成されている。図２に示すように、第２の治具２２の第１のガイド４への載置状態は、第４，第５の支持脚Ｆ４，Ｆ５を、第１の治具２１の第１，第２の支持脚Ｆ１，Ｆ２よりも内周側の位置Ｐ１と外周側の位置Ｐ２で第１のガイド４に載置されている。図３に示すように、第２の治具２２の第６の支持脚Ｆ６は、第２のガイド５に載置した第１の治具２１の第３の支持脚Ｆ３よりも外周側の位置Ｐ３で第２のガイド５に載置して、図１に示すように、第１の治具２１の検査用第１平面部２１ａの頂点を第２の治具２２の頂点よりも内周側で露出させている。なお、光ピックアップ６と第１の治具２１及び第２の治具２２は互いに非接触の状態で第１，第２のガイド４，５の上に位置している。
【００１５】
なお、精度の高い調整を実現するため、図１に示したように第１の治具２１の第３の支持脚Ｆ３が第２のガイド５に当接する位置は最内周またはそれに近い位置が好ましい。また、第２の治具２２の第６の支持脚Ｆ６が第２のガイド５に当接する位置は最外周またはそれに近い位置が好ましい。
【００１６】
このように第１の治具２１の上に第２の治具２２を被せたような構造になっているため、回転テーブル１に検査用ディスクとしてのガラスディスク１０を直接にセットした場合には、ガラスディスク１０の下面が第２の治具２２に衝突またはその虞があるため、ここでは調整に際して、平行ブロックとしてのスペーサ２３を回転テーブル１にセットし、このスペーサ２３にガラスディスク１０をセットして、ガラスディスク１０の下面が第２の治具２２の検査用第２平面部２２ａよりも高い位置を通過するように構成されている。ガラスディスク１０は透光性平行円板である。
【００１７】
なお、ガラスディスク１０とスペーサ２３とを予めねじ留めして一体に構成したり、接着等により接着して一体にすると言ったように、両者を予め固定しておいても良い。
光軸調整は、上記のように第１，第２の治具２１，２２とガラスディスク１０をセットした状態で、図３に示すようにオートコリメータ２４，２５を使用して行われる。
【００１８】
オートコリメータ２４は、平行光１１ａをガラスディスク１０を通して第１の治具２１の検査用第１平面部２１ａの頂点の付近に照射すると共に、ガラスディスク１０の上面での反射光１１ｂならびに検査用第１平面部２１ａでの反射光１１ｃのスクリーンへの映写を行う。図４（ａ）はオートコリメータ２４のスクリーン２６に映写された光点の具体例を示しており、ガラスディスク１０の上面での反射光１１ｂの映写光点をＡ、検査用第１平面部２１ａでの反射光１１ｃの映写光点をＢとする。
【００１９】
オートコリメータ２５は、平行光１２ａをガラスディスク１０を通して第２の治具２２の検査用第２平面部２２ａの頂点の付近に照射すると共に、ガラスディスク１０の上面での反射光１２ｂならびに検査用第２平面部２２ａでの反射光１２ｃの映写を行う。図４（ｂ）はオートコリメータ２５のスクリーン２７に映写された光点の具体例を示しており、ガラスディスク１０の上面での反射光１２ｂの映写光点をＣ、検査用第２平面部２２ａでの反射光１２ｃの映写光点をＤとする。
【００２０】
第１，第２のガイド４，５の各端部に備わる調整装置の調整を、オートコリメータ２４，２４の各スクリーン２６，２７を見ながら実施する。具体的には、映写光点Ｂが映写光点Ａに重なるように第１，第２のガイド４，５の一方または両方の傾きの調整作業と、映写光点Ｄが映写光点Ｃに重なるように第１，第２のガイド４，５の一方または両方の傾きを調整作業を実施する。このようにして、映写光点Ｂ，Ｄが映写光点Ａ，Ｃにそれぞれ重なった状態では、回転テーブル１にセットされる光ディスクに対する光ピックアップ６の照射光軸が垂直になるように調整されたことになる。この状態において第１，第２のガイド４，５の傾きを調整するための調整装置を接着剤等にて固定し調整が完了する。
【００２１】
以上のように本発明の光軸調整方法によれば、８ｃｍディスク専用の光ディスク装置の光軸調整が、従来の１２ｃｍディスクの光ディスク装置の光軸調整と同等の調整時間、同等の調整精度が実現可能となる。
【００２２】
なお、上記の実施の形態では第１の治具２１の検査用第１平面部２１ａの頂点を第２の治具２２の頂点よりも内周側で露出させたが、第１の治具２１の検査用第１平面部２１ａの頂点を第２の治具２２の頂点よりも外周側で露出させても同様である。
【００２３】
なお、光ディスクとは、コンパクトディスク、ビデオディスク、ビデオＣＤ、ＣＤ−ＲＯＭ、ビデオカメラ、等の光ディスクであっても良いし、光磁気ディスク、相変化型ディスク、ライトワンスディスク、等の書込可能なディスクであっても良い。
【００２４】
また、光ピックアップとは、光ディスク装置に設けられる読み取り専用の光ピックアップでも良いし、光磁気ディスク装置、相変化型ディスク装置、ライトワンスディスク装置等に設けられる書込み及び読み取り用の光ピックアップでも良い。
【００２５】
上記の各実施の形態では、光ピックアップ６は第１のガイド４と第２のガイド５とにガイドされて、第１，第２のガイド４，５とは別に設けたトラバース方向駆動軸７に連結されて駆動された場合を例に挙げて説明したが、第１のガイド４とトラバース方向駆動軸７とを兼用した光ディスク装置の場合も、同様に実施できる。具体的には、この光ディスク装置では、図５に示すように光ピックアップ６はトラバース方向駆動軸７と第２のガイド５とに支持されており、トラバース方向駆動軸７が前記第１のガイド４であって、光ピックアップ６の光軸調整の際には、トラバース方向駆動軸７と第２のガイド５との間に跨って第１の治具２１と第２の治具２２とを同様に載置して調整することができる。
【産業上の利用可能性】
【００２６】
本発明は光ピックアップのトラバース範囲が狭くて従来のように第１，第２の治具を同時にセットできなかった各種の光ディスク装置の性能の向上に寄与できる。
【図面の簡単な説明】
【００２７】
【図１】本発明の実施の形態の第１，第２の治具を光ディスク装置にセットした調整状態の平面図
【図２】図１のＡ−ＡＡ矢視図
【図３】図１のＢ−ＢＢ矢視図
【図４】本発明の実施の形態の光軸調整方法を説明するためのオートコリメータのスクリーン上の映写を示す図
【図５】別の光ディスク装置の平面図
【図６】従来の光ディスク装置と第１，第２の治具の斜視図
【図７】同従来例の第１，第２の治具を光ディスク装置にセットした調整状態の斜視図
【図８】同従来例の光軸調整状態の説明図
【図９】８ｃｍディスク専用の光ディスク装置の調整工程図
【符号の説明】
【００２８】
１    回転テーブル
４，５    第１，第２のガイド
１０    ガラスディスク（検査用ディスク）
２１，２２    第１，第２の治具
２１ａ    検査用第１平面部
２２ａ    検査用第２平面部
２３    スペーサ（平行ブロック）
２４，２５    オートコリメータ
Ｆ１，Ｆ２，Ｆ３    第１，第２，第３の支持脚
Ｆ４，Ｆ５，Ｆ６    第４，第５，第６の支持脚
【図１】
2007250138.tif 000003
【図２】
2007250138.tif 000004
【図３】
2007250138.tif 000005
【図４】
2007250138.tif 000006
【図５】
2007250138.tif 000007
【図６】
2007250138.tif 000008
【図７】
2007250138.tif 000009
【図８】
2007250138.tif 000010
【図９】
2007250138.tif 000011